(57)【要約】【課題】筐体に衝撃を印加したときに、レールガイドがボトムケースから脱落することを防止する光ディスク装置を提供すること。【解決手段】ボトムケース２は底板２ａと側板２ｂと準底板２ｃから構成され、レールガイド３は底面３ａと側面３ｂと上面３ｃから構成される。レールガイドの側面３ｂはボトムケースの側板２ｂに係合されるとともに、レールガイドの側面３ｂには、ボトムケースの準底板２ｃに延長して当接する凸部３ｄを形成した。凸部３ｄは、ボトムケース２が変形したとき、レールガイド３がボトムケース２から脱落するのを防止する。【選択図】図２Ａ
2011154745.tif 000002
【特許請求の範囲】
【請求項１】
光ディスクが載置されたトレイを筐体に収納して該光ディスクに情報を記録再生する光ディスク装置において、
上記筐体に対し上記トレイを出入自在に保持するレールと、
該レールを移動可能に保持するために上記筐体のボトムケースに取り付けたレールガイドとを備え、
上記ボトムケースは底板と側板と準底板からステップ状に構成され、
上記レールガイドは底面と側面と上面から略コの字状に構成され、
上記レールガイドの側面は上記ボトムケースの側板に係合されるとともに、
上記レールガイドの上記ボトムケースの側板側には、上記ボトムケースの準底板に延長して当接する凸部を形成したことを特徴とする光ディスク装置。
【請求項２】
請求項１に記載の光ディスク装置において、
前記凸部は、前記レールガイドのうち、前記筐体の前面側に位置する部分に形成したことを特徴とする光ディスク装置。
【請求項３】
請求項１に記載の光ディスク装置において、
前記凸部は、前記レールガイドの上面の高さと同一の高さに形成したことを特徴とする光ディスク装置。
【請求項４】
請求項１に記載の光ディスク装置において、
前記凸部の突き出し量は、前記ボトムケースの板厚にほぼ等しく形成したことを特徴とする光ディスク装置。
【請求項５】
光ディスクが載置されたトレイを筐体に収納して該光ディスクに情報を記録再生する光ディスク装置において、
上記筐体に対し上記トレイを出入自在に保持するレールと、
該レールを移動可能に保持するために上記筐体のボトムケースに取り付けたレールガイドとを備え、
該レールガイドには、上記ボトムケースが変形したとき、上記レールガイドが上記ボトムケースから脱落するのを防止する凸部を形成したことを特徴とする光ディスク装置。
【発明の詳細な説明】
【技術分野】
【０００１】
本発明は、光ディスクに情報を記録再生する光ディスク装置に係り、特に光ディスクを載置するトレイを収納する筐体の構造に関する。
【背景技術】
【０００２】
一般に電子機器に搭載される光ディスク装置では、装置本体（筐体）に出入自在に保持されたトレイを備え、このトレイを筐体から引き出した状態で光ディスクを載置し、再びトレイを筐体に収納することで光ディスクを装置本体に装着する構造となっている。トレイには、光ディスクを回転させるスピンドルモータや、光ディスク半径方向に移動可能でディスク記録面にレーザ光を照射して情報を記録または再生する光ピックアップが取り付けられている。
【０００３】
筐体にトレイを出入自在に収納する機構として、筐体とトレイを移動自在に保持するレールと、トレイに設けられレールを保持するレール保持部と、筐体に設けられレールを保持するレールガイドを備える。トレイの出入操作において、機構部品が外力の印加等により変形すると、トレイが筐体から脱落するという不具合が生じることがある。このようなトレイの脱落を防止するために、次のような提案がなされている。
【０００４】
特許文献１では、外側レールガイドと内側レールガイドにより構成されるガイド手段において、立上部あるいは折曲部を設けることで、レールがレールガイドから脱落するのを防止する構造が開示されている。
【０００５】
特許文献２では、レールのレールガイドと対向する面に設けた凸部により、トレイを筐体から引き出す時に、レールガイド内のレールの変位を最小限に押え、トレイが筐体から脱落することを防止する構造が開示されている。
【先行技術文献】
【特許文献】
【０００６】
【特許文献１】特開２００７−２６５４７１号公報
【特許文献２】特開２００７−１０９３２７号公報
【発明の概要】
【発明が解決しようとする課題】
【０００７】
特にノートパソコン等に搭載される光ディスク装置では、装置の厚みが１２．７ｍｍや９．５ｍｍのように薄型化が図られ、また軽量化が要求される。このため外装部材の板厚も薄い材料を用いることになり、外部から衝撃力を受けると、筐体（ケース）にたわみや反りが発生しやすい。衝撃力が大きい場合には、ボトムケースに係合しているレールガイドがボトムケースから外れ、その結果としてトレイもケースから脱落してしまうことになる。
【０００８】
上記特許文献では、トレイ自身（またはトレイを保持するレール）がレールガイドから外れることを防止するための技術が記載されるが、レールガイドがボトムケースから脱落することについては配慮されていない。
【０００９】
本発明の目的は、筐体に衝撃を印加したときに、レールガイドがボトムケースから脱落することを防止する光ディスク装置を提供することにある。
【課題を解決するための手段】
【００１０】
本発明は、光ディスクが載置されたトレイを筐体に収納して該光ディスクに情報を記録再生する光ディスク装置において、上記筐体に対し上記トレイを出入自在に保持するレールと、該レールを移動可能に保持するために上記筐体のボトムケースに取り付けたレールガイドとを備え、上記ボトムケースは底板と側板と準底板からステップ状に構成され、上記レールガイドは底面と側面と上面から略コの字状に構成され、上記レールガイドの側面は上記ボトムケースの側板に係合されるとともに、上記レールガイドの上記ボトムケースの側板側には、上記ボトムケースの準底板に延長して当接する凸部を形成した。
【００１１】
ここで前記凸部は、前記レールガイドのうち、前記筐体の前面側に位置する部分に形成した。また、前記凸部は、前記レールガイドの上面の高さと同一の高さに形成した。さらに、前記凸部の突き出し量は、前記ボトムケースの板厚にほぼ等しく形成した。
【発明の効果】
【００１２】
本発明によれば、筐体に衝撃を印加したときに、レールガイドがボトムケースから脱落することがなくなり、安定したトレイ出入動作を行うことができる。
【図面の簡単な説明】
【００１３】
【図１】本発明による光ディスク装置の一実施例を示す外観斜視図。
【図２Ａ】図１におけるＡ−Ａ断面図であり、ボトムケースとレールガイドとレールの組み立て状態を示す図。
【図２Ｂ】従来例におけるボトムケースとレールガイドとレールの組み立て状態を示す図。
【図３Ａ】本実施例におけるレールガイドの斜視図と部分拡大図。
【図３Ｂ】従来例におけるレールガイドの斜視図と部分拡大図。
【図４Ａ】本実施例によるレールガイドの脱落防止効果を説明する図。
【図４Ｂ】従来例におけるレールガイドの脱落メカニズムを説明する図。
【発明を実施するための形態】
【００１４】
以下、本発明の実施の形態を図面を用いて説明する。
図１は、本発明による光ディスク装置の一実施例を示す外観斜視図である。この図では、筐体のトップケースを除去した状態を示す。図１において、１は光ディスク装置、２はボトムケース、３はレールガイド、４はトレイ、５はレール、６はレール保持部、７はスピンドルモータ、８は光ピックアップ、９はベゼル、１０はイジェクトボタンである。
【００１５】
光ディスク装置１は、筐体（ボトムケース２とトップケース）と、筐体に出入自在に保持されたトレイ４を有している。トレイ４には、光ディスクを回転駆動させるスピンドルモータ７と、光ディスクにレーザ光を照射して情報の記録や再生を行う光ピックアップ８が取り付けられている。
【００１６】
トレイ４は筐体（ボトムケース２）に対して、レール５を介して収納及び引き出しの移動が行われる。ボトムケース２とレール５の間は、ボトムケース２に設けたレールガイド３により保持される。また、トレイ４とレール５の間は、トレイ４の側面に設けたレール保持部６により保持される。なお、トレイ４の出入移動をスムーズに行わせるため、レールガイド３、レール５、レール保持部６の間には所定の間隙（クリアランス）を設けている。
【００１７】
トレイ４を収納するときは、トレイ４の前面に設けられたベゼル９を筐体（ボトムケース２）側に押し込み、筐体（ボトムケース２）に設けられた係合部と係合させることで、トレイ４を筐体内に固定する。トレイ４を引き出すときは、ベゼル９に設けられたイジェクトボタン１０を押すことで、筐体（ボトムケース２）との係合を解除し、トレイ４を筐体の前面側に引き出す。
【００１８】
次に、ボトムケース２とレール５の間を保持するレールガイド３について説明する。比較のために、従来のレールガイドを符号３’で示す。
図２Ａと図２Ｂは図１におけるＡ−Ａ断面図であり、ボトムケース２とレールガイド３，３’とレール５の組み立て状態を示す。図２Ａは本実施例の構造を、図２Ｂは従来例の構造を示す。図面では、ボトムケース２とレールガイド３，３’とレール５の断面に対しハッチングを施している。
【００１９】
まず基本構成を説明すると、図２Ａと図２Ｂにおいて、ステップ状のボトムケース２は底板２ａと側板２ｂと準底板２ｃの部分から構成される。断面が略コの字状のレールガイド３、３’は、その側面３ｂ，３ｂ’をボトムケース２の側板２ｂにツメやフックなどの係合具を用いて取り付ける。そのとき、レールガイド３、３’の底面３ａ，３ａ’はボトムケース２の底板２ａにて、またレールガイド３、３’の上面３ｃ，３ｃ’はボトムケース２の準底板２ｃにて規制され、レールガイド３、３’はボトムケース３の所定位置に固定される。レールガイド３、３’の内面側には、断面が略コの字状のレール５が収納され、図面奥行き方向に移動可能となっている。さらに、レール５の内側には図１のレール保持部６が収納されて奥行き方向に移動可能とすることで、トレイ４は筐体（ボトムケース２）にスムーズに出入動作が可能となるように構成されている。
【００２０】
図２Ａの本実施例の場合、レールガイド３の側面３ｂの上端部に、レールガイド３の上面３ｃを延長した凸部３ｄを形成している。この凸部３ｄは、ボトムケース２の側板２ｂの空隙部に挿入し、準底板２ｃとの当接幅を大きくすることで、レールガイド３がボトムケース２から脱落することを防止するものである。ちなみに図２Ｂの従来例では、レールガイド３’の側面３ｂ’は、上下方向に直線状となっており、図２Ａに示すような凸部３ｄを有していない。
【００２１】
凸部３ｄの突き出し量Ｐは、ボトムケース２から飛び出さない程度とするのがよく、例えばボトムケース２の板厚０．５ｍｍの場合にはＰ＝０．５ｍｍとする。また、凸部３ｄの上面は上面３ｃと同一面とするのが望ましい。後述するように、突き出し量Ｐは大きいほど脱落防止効果が優れるが、ボトムケース２の側板２ｂとの係合の際に障害にならないサイズにする。
【００２２】
図３Ａと図３Ｂは、レールガイド３，３’の斜視図とＢ，Ｂ’部の部分拡大図であり、図３Ａは本実施例の構造を、図３Ｂは比較のために従来例の構造を示す。レールガイド３，３’の上側と下側には、ボトムケース２と係合するためにフックやツメが形成されている。
【００２３】
図３Ａの本実施例では、レールガイド３のＢ部において、側面３ｂに上面３ｃを延長した凸部３ｄを設けている。凸部３ｄの奥行き方向の長さＬは５ｍｍ程度としたが、凸部３ｄの長さＬはボトムケース２の側板２ｂとの係合の際に障害にならないようにする。また、凸部３ｄの形成位置はレールガイド３の手前方向のＢ部位置としたが、これは筐体（ボトムケース２）の前面側は、衝撃を受けるとより大きく変形しやすいことを配慮したからである。もちろん、Ｂ部以外の位置にも凸部を追加形成しても良い。このような凸部は、レールガイド３の成形加工工程において容易に形成できる。これに対し図３Ｂの従来例では、レールガイド３’の側面３ｂ’は、全体が平面状となっており、図３Ａに示すような凸部３ｄを有していない。
【００２４】
図４Ａと図４Ｂは、本実施例によるレールガイドの脱落防止効果を説明する図である。図４Ａは本実施例の場合、図４Ｂは比較のために従来例の場合で、図２Ａと図２Ｂにおけるボトムケース２とレールガイド３，３’の関係を示す。なお、図４Ａと図４Ｂでは、ボトムケース２とその準底板２ｃについては、その輪郭と変形の様子を模式的に示している。
【００２５】
まず、レールガイドの脱落のメカニズムを説明する。通常時はボトムケース２は所定の形状を保っているが、筐体が外部から衝撃を受けると、ボトムケース２にたわみや反りが発生する。例えば、ボトムケース２の準底板２ｃが符号２ｃ’のように変形する。その際、準底板２ｃ’は、レールガイド３，３’のコーナー３ｅ，３ｅ’を支点として変形する。その結果、準底板２ｃ’とレールガイド３の上面３ｃ、３ｃ’の間には間隙Ｓ，Ｓ’が生じ、両者の係合が外れて、レールガイド３，３’がボトムケース２から脱落しやすくなる。レールガイド３，３’の脱落し易さは、間隙Ｓ，Ｓ’の幅Ｗ，Ｗ’に依存し、幅Ｗ，Ｗ’が大きいほど脱落しにくくなる。なぜなら、レールガイド３，３’が脱落するためには、そのコーナー３ｅ，３ｅ’が幅Ｗ，Ｗ’だけ図面左方へ移動しなければならないからである。
【００２６】
間隙Ｓ，Ｓ’の幅Ｗ，Ｗ’は、通常時の準底板２ｃとレールガイド３，３’の当接幅Ｗ，Ｗ’にほぼ等しい。図４Ａの本実施例の場合には、準底板２ｃとレールガイド３との当接幅Ｗは、図４Ｂの従来例の場合の当接幅Ｗ’よりも、レールガイド３に設けた凸部３ｄの突き出し量Ｐだけ大きくしている。よって本実施例の構造は、レールガイドが脱落しにくい構造と言える。
【００２７】
以上のように本実施例によれば、レールガイド３に凸部３ｄを設けることで、衝撃時にレールガイドがボトムケースから脱落することを防止し、安定したトレイ出入動作を行うことができる。
【符号の説明】
【００２８】
１…光ディスク装置、
２…ボトムケース、
２ａ…ボトムケースの底板、
２ｂ…ボトムケースの側板、
２ｃ…ボトムケースの準底板、
３…レールガイド、
３ａ…レールガイドの底面、
３ｂ…レールガイドの側面、
３ｃ…レールガイドの上面、
３ｄ…レールガイドの凸部、
４…トレイ、
５…レール、
６…レール保持部、
７…スピンドルモータ、
８…光ピックアップ、
９…ベゼル、
１０…イジェクトボタン。
【図１】
2011154745.tif 000003
【図２Ａ】
2011154745.tif 000004
【図２Ｂ】
2011154745.tif 000005
【図３Ａ】
2011154745.tif 000006
【図３Ｂ】
2011154745.tif 000007
【図４Ａ】
2011154745.tif 000008
【図４Ｂ】
2011154745.tif 000009